(57)【要約】      （修正有）【課題】起立型石灯ろうの耐震性を高める。【解決手段】中心に柱嵌入孔を有する基礎を地中に埋設し、該基礎の地中への埋入深さは、地上に起立すべき灯ろうの上端までの高さの約３/６から５/６とし、上記基礎の柱嵌入孔に柱の下端部分を接着剤を付して嵌入して垂直に起立し、上記柱の上端に、中台、火袋及び笠を順次積み重ねると共に、上下隣り合う上記部材同志に、複数本のステンレス鋼連結棒を接着剤を付して挿通してそれぞれ継ぎ合わせ、上記火袋から中台及び柱を貫通して柱下端に達する鉄パイプを接着剤を付して縦通した、耐震性起立型石灯ろう。【選択図】図１
0003127383.tif 000002
【実用新案登録請求の範囲】
【請求項１】
中心に柱嵌入孔を有する基礎を地中に埋設し、該基礎の地中への埋入深さは、地上に起立すべき灯ろうの上端までの高さの約３/６から５/６とし、
上記基礎の柱嵌入孔に柱の下端部分を接着剤を付して嵌入して垂直に起立し、
上記柱の上端に、中台、火袋及び笠を順次積み重ねると共に、上下隣り合う上記部材同志に、複数本のステンレス鋼連結棒を接着剤を付して挿通してそれぞれ継ぎ合わせ、
上記火袋から中台及び柱を貫通して柱下端に達する鉄パイプを接着剤を付して縦通した、
耐震性起立型石灯ろう。
【考案の詳細な説明】
【技術分野】
【０００１】
本考案は、立灯ろう、置灯ろう等の起立型石灯ろうの耐震改良に関する。
【背景技術】
【０００２】
従来、例えば寺社の参道沿いに設置される立灯ろうは、予め柱、中台、火袋及び笠をそれぞれ造り、まず柱の下端部分、約柱長の１／６〜１／７程度を地中にコンクリートで埋め固めて垂直に起立し、ついで該柱の上端に中台、火袋及び笠を順次接着剤で接合して積み重ねた構造としてある。
【０００３】
しかし、上記のような従来灯ろうでは、地震等によって転倒したり、各部が接合部で剥離して分離し易い欠点があった。
【考案の開示】
【考案が解決しようとする課題】
【０００４】
本考案は、耐震性の起立型石灯ろうを提供することを課題とする。
【課題を解決するための手段】
【０００５】
上記課題解決のため、本考案は、
中心に柱嵌入孔を有する基礎を地中に埋設し、該基礎の地中への埋入深さは、地上に起立すべき灯ろうの上端までの高さの約３/６から５/６とし、
上記基礎の柱嵌入孔に柱の下端部分を接着剤を付して嵌入して垂直に起立し、
上記柱の上端に、中台、火袋及び笠を順次積み重ねると共に、上下隣り合う上記部材同志に、複数本のステンレス鋼連結棒を接着剤を付して挿通してそれぞれ継ぎ合わせ、
上記火袋から中台及び柱を貫通して柱下端に達する鉄パイプを接着剤を付して縦通した、
耐震性起立型石灯ろうを提案する。
【考案の効果】
【０００６】
本考案の耐震性起立型石灯ろうによれば、基礎の地中への埋入深さを、地上に起立する石灯ろうの上端までの高さの約３／６〜５／６とし、該基礎に下端部分を嵌入して支持した柱上に、中台、火袋、笠を複数本のステンレス鋼連結棒によって順次継ぎ合わすと共に、さらに火袋から中台、柱に鉄パイプを縦通したから、各部材を互に強固に連結し、全体を地震等に強い灯ろうに構成することができるのである。
【考案を実施するための最良の形態】
【０００７】
本考案において、上記基礎は、地盤に縦孔を掘削し、該縦孔内にコンクリートを打設してなる場所打ちコンクリート基礎、あるいは予め型にコンクリートを流しこんで形成した既成基礎のいずれかで、鉄筋入り又は鉄筋なしのものである。
【０００８】
また、上記基礎の嵌入孔に嵌入すべき柱の下端部分の長さは、地上に起立する灯ろうの上端までの高さの約１／６〜３／６にするとよい。
【０００９】
なお、上記基礎の形状は、円柱状、角柱状、それらの外周面に溝又は突条を有するもの等、種々の形状のものがあり、又基礎の上端部に、中心部に柱通し孔を有する下台を一体的に連結してなる下台つき基礎であってもよい。場合によっては下台を除いてもよい。
【実施例】
【００１０】
以下本考案の実施例について詳述する。
図１（イ）において、本例の基礎（１）は、円柱状の既成コンクリート基礎本体（２）の上端面に、石造りの四角盤状下台（３）を一体的に連結したもので、その連結構造は、上記基礎本体（２）と下台（３）の接合面から両部（２）、（３）内に上下に食いこむ本例では４本の丸孔を形成し、これら丸孔に、エポキシ樹脂系接着剤を付したステンレス鋼丸棒からなる連結棒（４）…を挿入したものである。上記連結棒（４）…の配置は、基礎本体（２）の軸心を中心とする同一円周上に等間隔をあけた配置である。
【００１１】
また、上記基礎（１）の軸心位置に、地上に起立すべき灯ろうの上端までの高さ（Ｔ）（図１（イ）参照）の約２／６に相当する深さの四角筒状の柱嵌入孔（５）を開設してある。
【００１２】
上記のような構造の基礎（１）を、地中に掘った縦孔（ｈ）内に埋設し、その際、上記基礎（１）の地中への埋入深さは、本例では上記地上に起立すべき灯ろうの高さ（Ｔ）の約４／６としてある。
【００１３】
柱（６）は石造りのほぼ四角柱状のもので、その下端部分（７）を、接着剤を付して、上記基礎（１）の嵌入孔（５）内に孔内底面に当接するまで嵌入して、垂直に起立する。上記基礎（１）の嵌入孔（５）に嵌入される柱（６）の下端部分の長さは、地上に起立すべき灯ろうの高さ（Ｔ）の約２／６とした。
【００１４】
上記柱（６）の上端面に、石造りの四角盤状中台（８）、石造りの四角筒状火袋（９）及び石造りの笠（１０）を順次積み重ねてそれぞれ連結する。
【００１５】
本例では、柱（６）の上端部分、中台（８）及び火袋（９）の下部に、４本のステンレス鋼丸棒からなる連結棒（１１）…を、上述と同様に接着剤を付して挿入して３部材（６）、（８）、（９）を一体的に連結し、又火袋（９）の上部及び笠（１０）の下部に、同じく４本のステンレス鋼連結棒（１２）…を接着剤を付して同様に挿入して一体的に連結してある。
【００１６】
本例では、さらに鉄パイプ（１３）を、火袋（９）の下部中心部から中台（８）の軸心に貫通し、ついで柱（６）の軸心を通って柱（６）下端まで同様に接着剤を付して縦通し、それによりこれらの耐震強度をさらに高めている。
【００１７】
上記火袋（９）の４側面には、格子を着脱自在に嵌めた明かり窓（１４）…をそれぞれ設け、火袋内に、本例では発光ダイオードの照明灯（１５）を設置してある。上記照明灯（１５）に接続された電気コード（１６）は、上記鉄パイプ（１３）内へ上端から挿通し、鉄パイプ（１３）の下端から図１（ロ）に示すように基礎（１）内を通して地中に導き、そこで地中に配線された電源線に接続される。
【００１８】
上記照明灯（１５）の電気コード（１６）を鉄パイプ（１３）内に通して地中の電源線に接続したから、外観が極めて良好となる。
【図面の簡単な説明】
【００１９】
【図１】（イ）本考案による石灯ろうの正面図である。                                  （ロ）基礎部分の拡大縦断面図である。
【図２】（イ）灯ろう上部の拡大縦断面図である。                                      （ロ）（イ）図のＡ−Ａ線断面図である。                                      （ハ）（イ）図のＢ−Ｂ線断面図である。
【符号の説明】
【００２０】
１  基礎
５  柱嵌入孔
６  柱
７  柱下端部分
８  中台
９  火袋
１０  笠
１１、１２  連結棒
１３  鉄パイプ
Ｔ  地上に起立する灯ろうの高さ
【図１】
0003127383.tif 000003
【図２】
0003127383.tif 000004